(57)【要約】【課題】  無線通信を行う通信機器の設定を容易に行うことができるようにする。【解決手段】  中継局２００は、インフラストラクチャ型の無線ネットワーク２００Ｌを構築している。印刷装置１００は、無線ネットワーク２００Ｌに新たに参加させる装置である。中継局２００のユーザが押しボタン２０１を押していること等の所定条件が成立していれば、中継局２００は、印刷装置１００と一時的な無線接続を行うことで、印刷装置１００のＳＳＩＤを自己のＳＳＩＤに変更する。このようにして、印刷装置１００の設定情報を容易に変更することができる。【選択図】  図１
2005198154.tif 000002
【特許請求の範囲】
【請求項１】
通信端末間の無線通信を中継する中継装置であって、
前記無線通信を確立するために前記通信端末と統一して設定される設定情報を記憶する設定情報記憶部と、
新たに中継対象とすべき新規通信端末との間で、前記設定情報に関わらず所定の条件下で一時的な無線通信を確立することで、該新規通信端末と仮接続を行う仮接続部と、
前記設定情報を変更させるための指示情報を、前記新規通信端末に対し、前記仮接続を通じて送信する設定指示部とを備える中継装置。
【請求項２】
請求項１記載の中継装置であって、
ユーザが前記仮接続を許可するために操作する操作部を備え、
前記所定の条件は、前記操作部に対する操作がなされることである中継装置。
【請求項３】
請求項１記載の中継装置であって、
前記所定の条件は、前記新規通信端末の設定情報が初期状態であることである中継装置。
【請求項４】
請求項１記載の中継装置であって、
前記仮接続部は、前記中継に用いられる無線通信での電波よりも弱い電波を用いて前記仮接続を行う中継装置。
【請求項５】
請求項１記載の中継装置であって、
前記中継の対象となるべき各通信端末に固有の識別情報を予め記憶する識別情報記憶部と、
前記新規通信端末が発信する信号から前記識別情報を検出する識別情報検出部とを備え、
前記所定の条件は、前記検出した識別情報が前記識別情報記憶部に記憶されていることである中継装置。
【請求項６】
請求項１記載の中継装置であって、
前記新規通信端末の設定情報を、該新規通信端末が発信する信号から検出する設定情報検出部を有し、
前記仮接続部は、前記検出された設定情報を用いて前記設定情報記憶部の内容を一時的に置き換えることで、前記仮接続を行う中継装置。
【請求項７】
請求項１記載の中継装置であって、
前記仮接続がなされたことを報知する報知部を備える中継装置。
【請求項８】
請求項１記載の中継装置であって、
前記指示情報が送信されたことを報知する報知部を備える中継装置。
【請求項９】
請求項１記載の中継装置であって、
前記設定情報は、前記無線通信で用いる暗号鍵を含む中継装置。
【請求項１０】
無線通信を行う通信機器であって、
前記無線通信を確立するため、他の通信機器と統一して設定される設定情報を記憶する設定情報記憶部と、
所定の条件下で、前記設定情報に関わらず他の通信機器との一時的な無線通信を確立することで、該他の通信機器と仮接続を行う仮接続部と、
前記他の通信機器に設定されている設定情報を、前記仮接続を介して取得する設定取得部と、
該取得した設定情報に基づき、前記設定情報記憶部に記憶された設定情報を更新する更新部とを備える通信機器。
【請求項１１】
請求項１０記載の通信機器であって、
前記仮接続部は、前記設定情報記憶部に記憶された設定情報に基づいて前記無線通信を確立し得る他の通信機器が存在しない場合に、前記仮接続を行う通信機器。
【請求項１２】
請求項１０記載の通信機器であって、
前記仮接続部は、前記設定情報記憶部の記憶内容が初期状態にある場合に前記仮接続を行う通信機器。
【請求項１３】
請求項１０記載の通信機器であって、
ユーザが前記仮接続を許可するために操作する操作部を備え、
前記所定の条件は、前記操作部に対する操作がなされることである通信機器。
【請求項１４】
請求項１０記載の通信機器であって、
前記仮接続部は、通常の無線通信での電波よりも弱い電波を用いて前記仮接続を行う通信機器。
【請求項１５】
請求項１０記載の通信機器であって、
前記仮接続がなされたことを報知する報知部を備える通信機器。
【請求項１６】
無線通信を行う通信機器の制御方法であって、
（ａ）  前記無線通信を確立するための設定情報を記憶する工程と、
（ｂ）  該記憶した設定情報を用いて、同一の設定情報が設定された他の通信機器との無線通信を確立する工程とを備え、
前記工程（ａ）は、
（ａ１）  所定の条件下で、前記設定情報に関わらず他の通信機器との一時的な無線通信を確立することで、該他の通信機器と仮接続を行う工程と、
（ａ２）  前記他の通信機器に設定されている設定情報を、前記仮接続を介して取得する工程と、
（ａ３）  該取得した設定情報を記憶する工程とを有する制御方法。
【請求項１７】
無線通信を行う通信機器を制御するためのコンピュータプログラムであって、
前記無線通信を確立するための設定情報を記憶するための第１のプログラムコードと、
該記憶した設定情報を用いて、同一の設定情報が設定された他の通信機器との無線通信を確立するための第２のプログラムコードとを備え、
前記第１のプログラムコードは、
所定の条件下で、前記設定情報に関わらず他の通信機器との一時的な無線通信を確立することで、該他の通信機器と仮接続を行うためのプログラムコードと、
前記他の通信機器に設定されている設定情報を、前記仮接続を介して取得するためのプログラムコードと、
該取得した設定情報を記憶するためのプログラムコードとを有するコンピュータプログラム。
【発明の詳細な説明】
【技術分野】
【０００１】
本発明は、無線通信を行う通信機器において、無線通信を確立するための設定を行うための技術に関する。
【背景技術】
【０００２】
近年、情報処理装置間のデータ授受に種々の形式の無線通信が利用されつつある。かかる無線通信としては、例えば、ＩＥＥＥ８０２．１１規格に基づいた無線ＬＡＮが挙げられる。一般に無線通信を確立するためには、通信を行う通信機器間で所定の設定内容が統一されている必要がある。例えば、インフラストラクチャ型の無線ＬＡＮ（Local Area Network）では、通信を確立するため、ステーションおよびアクセスポイントと呼ばれる各通信機器に対して、ＳＳＩＤ（Service Set Identifier）や、ＷＥＰ（Wired Equivalent Privacy）の暗号鍵などが統一的に設定される。アドホック型の無線ＬＡＮでは、チャンネルやＷＥＰの暗号鍵などが統一的に設定される。ユーザは、無線ＬＡＮに新たな通信機器を参加させる場合、その通信機器の設定を、無線ＬＡＮで既に使用されている設定に合わせる必要がある。
【０００３】
【特許文献１】特開２００３−２８３５０６号公報
【発明の開示】
【発明が解決しようとする課題】
【０００４】
しかし、一般に、新規な通信機器に対する設定は、ユーザにとって煩雑な作業であった。例えば無線通信機能を有する印刷装置などユーザインタフェースの操作性に劣る通信機器に対する設定は、特に煩雑であった。このような場合、ユーザは、印刷装置をパーソナルコンピュータ（ＰＣ）に接続した上で、ＰＣを介して印刷装置に設定を行うのが通常である。印刷装置とＰＣの接続には、ＵＳＢケーブルなどを用いて有線で行う方法や、ＰＣの無線通信用の設定を一旦、印刷装置の設定に合わせることで両者間に無線通信を確立させる方法が採られる。前者では、有線で接続する手間が生じ、後者では印刷装置の設定後に、ＰＣの設定を再び変更前に戻す手間が生じる。
【０００５】
本発明は、上述の課題に鑑み、無線通信を行う通信機器の設定を容易に行うための技術を提供することを目的とする。
【課題を解決するための手段】
【０００６】
上記課題の少なくとも一部を解決するために、本発明では、
通信端末間の無線通信を中継する中継装置において、
前記無線通信を確立するために前記通信端末と統一して設定される設定情報を記憶する設定情報記憶部と、
新たに中継対象とすべき新規通信端末との間で、前記設定情報に関わらず所定の条件下で一時的な無線通信を確立することで、該新規通信端末と仮接続を行う仮接続部と、
前記設定情報を変更させるための指示情報を、前記新規通信端末に対し、前記仮接続を通じて送信する設定指示部とを備えることを要旨とする。
このようにすれば、新規通信端末は指示情報に基づいて無線通信の設定を行うことが可能となるため、新規通信端末に対してユーザが行うべき設定の負荷を軽減することができる。
【０００７】
本発明の中継装置においては、
ユーザが前記仮接続を許可するために操作する操作部を備え、
前記所定の条件は、前記操作部に対する操作がなされることとしてもよい。
このようにすれば、中継装置のユーザは、仮接続を簡便かつ意図的に制御できるため、ユーザの意図に反して、仮接続が行われ、中継装置の設定情報が漏洩する可能性を抑制できる。
【０００８】
本発明の中継装置において、
前記所定の条件は、前記新規通信端末の設定情報が初期状態であることとしてもよい。初期状態には、工場出荷状態、およびリセットされた状態が含まれる。このようにすれば、既に設定済みの設定情報がユーザの意図に反して変更されることを回避できる。
【０００９】
本発明の中継装置において、
前記仮接続部は、前記中継に用いられる無線通信での電波よりも弱い電波を用いて前記仮接続を行ってもよい。このようにすれば、仮接続での通信範囲を狭めることができるため、意図しない通信機器への誤設定や、設定情報の漏洩を抑制することができる。
【００１０】
本発明の中継装置において、
前記中継の対象となるべき各通信端末に固有の識別情報を予め記憶する識別情報記憶部と、
前記新規通信端末が発信する信号から前記識別情報を検出する識別情報検出部とを備え、
前記所定の条件は、前記検出した識別情報が前記識別情報記憶部に記憶されていることとしてもよい。
このようにすれば、中継装置に識別情報が登録されていない通信端末への設定情報の漏洩を抑制することができる。
【００１１】
本発明の中継装置において、
前記新規通信端末の設定情報を、該新規通信端末が発信する信号から検出する設定情報検出部を有し、
前記仮接続部は、前記検出された設定情報を用いて前記設定情報記憶部の内容を一時的に置き換えることで、前記仮接続を行うものとしてもよい。
このようにすれば、中継装置の設定を新規通信端末に合わせることで仮接続を実現することができる。
【００１２】
本発明の中継装置においては、仮接続がなされたことや、指示情報が送信されたことを報知する報知部を備えてもよい。このようにすれば、ユーザに対して、仮接続により設定情報の漏洩などが生じる可能性に対する注意を喚起することができる。
【００１３】
本発明において、設定情報には、無線接続で用いる暗号鍵を含むものとしてもよい。
【００１４】
本発明は、上述の中継装置の他、無線通信を行う通信機器として構成することもできる。本明細書において、通信機器とは、上述の中継装置や通信端末を包含する用語として用いる。
【００１５】
本発明の通信機器は、
前記無線通信を確立するため、他の通信機器と統一して設定される設定情報を記憶する設定情報記憶部と、
所定の条件下で、前記設定情報に関わらず他の通信機器との一時的な無線通信を確立することで、該他の通信機器と仮接続を行う仮接続部と、
前記他の通信機器に設定されている設定情報を、前記仮接続を介して取得する設定取得部と、
該取得した設定情報に基づき、前記設定情報記憶部に記憶された設定情報を更新する更新部とを備えることを要旨とする。
このようにすれば、仮接続を利用することで、通信機器の設定を、他の通信機器の設定に容易に合わせることができる。
【００１６】
本発明の通信機器において、
前記仮接続部は、前記設定情報記憶部に記憶された設定情報に基づいて前記無線通信を確立し得る他の通信機器が存在しない場合、即ち通信機器が他の通信機器から孤立している場合に、前記仮接続を行うものとしてもよい。このようにすれば、既に設定された設定情報がユーザの意図に反して変更されることを回避できる。
【００１７】
本発明の通信機器においても、中継装置で説明した種々の特徴を適用することが可能である。本発明は、上述の中継装置、通信機器としての構成の他、中継装置および通信端末を有する通信システムとして構成してもよい。また、通信機器の制御方法として構成することもできる。本発明は、この制御方法を実現するコンピュータプログラム、およびそのプログラムを記録した記録媒体、そのプログラムを含み搬送波内に具現化されたデータ信号など種々の態様で実現することが可能である。
【００１８】
本発明をコンピュータプログラムを記録した記録媒体等として構成する場合、記録媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００１９】
以下、本発明の実施の形態について実施例に基づき次の順序で説明する。
Ａ．概略構成：
Ｂ．機能ブロック構成：
Ｃ．無線通信の設定処理：
Ｄ．変形例：
【００２０】
Ａ．概略構成： 
図１は、印刷装置１００および中継局２００からなる通信システム１０００を示す説明図である。中継局２００は、インフラストラクチャ型の無線ＬＡＮ（Local Area Network）２００Ｌのアクセスポイントである。この無線ネットワーク２００Ｌには、パーソナルコンピュータ（ＰＣ）２０３がステーションとして参加している。中継局２００およびＰＣ２０３には、無線ネットワーク２００Ｌで通信を確立するために、ＳＳＩＤ（Service Set Identifier）と、ＷＥＰ（Weird Equivalent Privacy）の暗号鍵とを含む設定情報が設定されている。以下、この設定情報を、「ＬＡＮ用設定情報」と呼ぶ。
【００２１】
無線ネットワーク２００Ｌに対して、無線通信機能を備えた印刷装置１００を新規に接続する場合を考える。この時点では、印刷装置１００には、ＬＡＮ用設定情報は設定されていない。本実施例では、中継局２００の設定をＬＡＮ用設定情報から一時的に変更して印刷装置１００との間で無線通信を確立し、印刷装置１００にＬＡＮ用設定情報を設定する。
【００２２】
この設定を行うためのユーザインタフェースとして、中継局２００および印刷装置１００には、それぞれ押しボタン２０１、１０１および表示ランプ２０２、１０２が設けられている。表示ランプ２０２，１０２は、黄色及び青色に点灯可能である。
【００２３】
Ｂ．機能ブロック構成： 
図２は、印刷装置１００および中継局２００の機能ブロックを示す説明図である。上段には印刷装置１００の機能ブロックを示し、下段には、中継局２００の機能ブロックを示した。印刷装置１００および中継局２００には各々、ＣＰＵ，ＲＯＭ，ＲＡＭ等を有するコンピュータが制御装置として内蔵されている。図示する各機能ブロックは、印刷装置１００および中継局２００の制御装置に、所定のファームウェアをインストールすることでソフトウェア的に実現される。これらの機能ブロックの一部又は全部は、ハードウェア的に実現することも可能である。
【００２４】
Ｂ１．印刷装置１００の機能ブロック：
印刷装置１００は、印刷ジョブを印刷するための機能ブロックと、無線通信を確立するための機能ブロックとを有する。印刷部１３２は印刷ジョブを取得し、印刷装置１００の各部を制御して印刷処理を行う機能を奏する。その他は、無線通信を確立するための機能ブロックである。
【００２５】
ＳＴ通信部１１０は、インフラストラクチャ型無線ＬＡＮのステーションとしての通信を行う機能を奏する。ＳＴ通信部１１０は、無線通信を行うために、ＳＳＩＤや暗号鍵などの設定情報１１１を記憶している。ＳＴ通信部２１０は、原則として、設定情報１１１が一致する通信機器との間でのみ無線通信を確立する。
【００２６】
更新部１２０は、設定情報１１１を自動的に設定する機能を奏する。本実施例では、更新部１２０は、中継局２００との間で、ＬＡＮ用設定情報とは異なる設定情報を用いて仮接続を確立し、この仮接続を介して中継局２００から送付される情報を用いて設定情報１１１の設定を行う。点灯制御部１３１は、更新部１２０の処理状況を表すように、表示ランプ１０２の点灯状態を制御する。
【００２７】
仮接続は、後述する一定の条件（以下、「仮接続条件」と証する）下でのみ確立される。更新部１２０は、初期状態フラグ１２２の状態、ユーザ入力部１２３からの情報などに基づいて、仮接続条件が満たされているか否かを判断する。初期状態フラグ１２２とは、設定情報１１１が工場出荷状態またはリセットされた状態にあることを示すフラグである。ユーザ入力部１２３は、押しボタン１０１（図１参照）が押されているか否かを検出する。
【００２８】
仮接続条件が満足されている場合、更新部１２０は、ＳＴ通信部１１０に対して、設定情報１１１の内容に無関係に無線通信を成立させるよう制御信号（以下、「仮接続信号」と証する）を出力する。仮接続信号は、ＳＴ通信部１１０が用いる電波を弱めるための制御信号でもある。ＳＴ通信部１１０は、仮接続信号を受信すると、通常時の無線通信で使用する電波よりも強度の弱い電波で仮接続を行う。
【００２９】
Ｂ２．中継局２００の機能ブロック：
中継局２００のＡＰ通信部２１０は、インフラストラクチャ型無線ＬＡＮのアクセスポイントとしての通信を行う機能を奏する。ＡＰ通信部２１０は、ＳＳＩＤや暗号鍵など、無線通信に利用される設定情報２１１を記憶している。ＡＰ通信部２１０は、原則として、設定情報２１１が一致する通信機器との間でのみ無線通信を確立する。
【００３０】
設定指示部２２０は、印刷装置１００の設定を行う際、ＡＰ通信部２１０に対して制御信号（以下、「仮接続信号」と証する）を出力して、設定情報２１１を一時的に変更して、印刷装置１００との間に、仮接続を確立する。変更前の設定情報２１１は、設定退避部２２１に保持される。この制御信号は、ＡＰ通信部２１０が用いる電波を弱めるための制御信号でもある。ＡＰ通信部２１０は、仮接続信号を受信すると、通常時の無線通信で使用する電波よりも強度の弱い電波で仮接続を行う。設定指示部２２０は、仮接続を介して、印刷装置１００に設定情報２１１を設定させる。点灯制御部２３１は、この設定の処理状況に応じて表示ランプ２０２の点灯状態を制御する。
【００３１】
仮接続は、後述する一定の条件（以下、「仮接続条件」と証する）下でのみ確立される。設定指示部２２０は、仮接続条件が満たされているか否かを、アドレス登録部２２２、ユーザ入力部２２３からの情報に基づいて判断する。アドレス登録部２２２は、無線ネットワーク２００Ｌに参加する各ステーションのＭＡＣ（Media Access Control）アドレスを登録したテーブルである。
【００３２】
Ｃ．無線通信の設定処理：
図３は、印刷装置１００および中継局２００が行う処理を示すフローチャートである。左側には印刷装置の処理１００の処理を示し、右側には、中継局２００の処理を示した。
【００３３】
印刷装置１００は、新規参加を実行するか否かの条件判断を行うため、まず、印刷装置１００に設けられた押しボタン１０１が押下げられているか否かを調べる（ステップＳａ１１）。押しボタン１０１が押されていない場合、印刷装置１００は、新規参加は要求されていないと判断しこの処理を終了する。
【００３４】
押しボタン１０１が押下げられている場合は、印刷装置１００は、孤立状態または初期状態にあるか否かを判断する（ステップＳａ１２）。孤立状態とは、設定情報１１１で通信可能な通信機器が存在しない状態を言う。初期状態ではなく孤立状態でもない場合（ステップＳａ１２）、印刷装置１００は、既に無線通信のための設定が済んでいると判断し、この処理を終了する。
【００３５】
孤立状態または初期状態にある場合（ステップＳａ１２）、印刷装置１００は、無線ネットワーク２００Ｌに新規参加するため、設定情報１１１の変更を行う。印刷装置１００は、無線接続を要求するビーコンを発信する（ステップＳａ２２）。このビーコンには、印刷装置１００の設定情報１１１およびＭＡＣアドレスが含まれる。
【００３６】
中継局２００は、このビーコンに応じて、右側の処理を開始する。中継局２００は、印刷装置１００との仮接続を確立するか否かを判断する（ステップＳｂ１１）。本実施例では、仮接続は、中継局２００の押しボタン２０１が押されていること、および印刷装置１００のＭＡＣアドレスがアドレス登録部２２２に登録されていることの双方が満たされている場合に許可するものとした。
【００３７】
仮接続の条件が満たされている場合、中継局２００は、以下の手順で、印刷装置１００との仮接続を確立する。まず、中継局２００は設定情報２１１を、設定退避部２２１に退避し（ステップＳｂ２１）、設定情報２１１を印刷装置１００の設定情報に合わせる（ステップＳｂ２２）。図中には、印刷装置１００の設定情報が「ＳＳＩＤ＝ＮｅｗＤｅｖｉｃｅ、ＷＥＰ＝ＸＸ」である場合を例示した。印刷装置１００の設定情報は、先に説明した通り、ビーコン中に含まれているため、中継局２００は、ビーコンからこの設定情報を抽出し、ステップＳｂ２２の処理を実行することができる。
【００３８】
中継局２００の設定情報が、印刷装置１００の設定情報に変更されると、中継局２００の設定情報と、印刷装置１００の設定情報とが同一になるため、中継局２００および印刷装置１００の間に無線接続が確立される（ステップＳｂ２３，Ｓａ３１）。中継局２００は、設定情報の変更（ステップＳａ３１）を行った後、所定期間内に仮接続が確立されない場合（ステップＳｂ２３）、中継局２００の設定情報を無線ネットワーク２００Lの設定情報に戻した後（ステップＳｂ４）、この処理を終了する。同様に、印刷装置１００は、無線接続の要求（ステップＳａ２２）後、所定期間内に、仮接続が確立しない場合は（ステップＳａ３１）、この処理を終了する。
【００３９】
仮接続が確立すると、中継局２００および印刷装置１００は、表示ランプ２０２、１０２を、それぞれ黄色に点灯させる（ステップＳｂ２４、ステップＳａ３２）。この状態で、中継局２００は、仮接続を用いて、ＬＡＮ用設定情報を印刷装置１００に送付する（ステップＳｂ３１）。印刷装置１００は、ＬＡＮ用設定情報を取得し（ステップＳａ４１）、設定情報１１１を変更する（ステップＳａ４２）。
【００４０】
中継局２００はステップＳｂ３１の送信後、設定情報２１１を、ＬＡＮ用設定情報に戻す（ステップＳｂ３２）。印刷装置１００および中継局２００の双方にＬＡＮ用設定情報が設定されると、両者間に、無線接続が確立される。
【００４１】
中継局２００および印刷装置１００は、ＬＡＮ用設定情報が設定されると、表示ランプ２０２、１０２をそれぞれ青色に点灯させる（ステップＳｂ３３、Ｓａ４３）。また、印刷装置１００は、初期状態ではないことを表すように、初期状態フラグ１２２を更新する（ステップＳａ４４）。
【００４２】
以上説明した通信システム１０００によれば、印刷装置１００にＬＡＮ用設定情報を容易に設定することができる。
【００４３】
ユーザは、印刷装置１００および中継局２００の表示ランプ１０２，２０２により、設定変更の完了を知ることができる。設定変更注の仮接続時には黄色点灯されることで、設定情報の漏洩に対するユーザの注意を喚起できる。
【００４４】
ユーザは、中継局２００の押しボタン２０１により仮接続の可否を制御できるため、意図に反して、中継局２００の設定情報が漏洩することを回避できる。印刷装置１００についても、押しボタン２０１の操作により、意図に反して設定変更が行われてしまうことを回避できる。
【００４５】
印刷装置１００および中継局２００は、強度の弱い電波で仮接続を行うため、設定情報の漏洩を抑制することができる。
【００４６】
Ｄ．変形例：
実施例では、中継局２００の設定を変更することで、仮接続を行う例を示した。中継局２００および印刷装置１００の設定情報を維持したまま、仮接続を行ってもよい。例えば、ＳＴ通信部１１０、ＡＰ通信部２１０に対して、設定情報の一致、不一致を問わずに無線通信を確立させる制御を行わせることで、仮接続を確立してもよい。こうすることで、図３におけるステップＳｂ２１，Ｓｂ２２，Ｓｂ３２，Ｓｂ４が不要となり、更に簡易に無線通信の設定を行うことが可能となる。
【００４７】
仮接続条件（図３のステップＳａ１１，Ｓａ１２およびステップＳｂ１１，Ｓｂ２１参照）は、一部を省略してもよいし、更に他の条件を組み合わせてもよい。
【００４８】
実施例では、印刷装置１００の設定情報が変更される場合を説明したが、中継局２００は、他の中継局の設定情報を変更してもよい。また、実施例の技術は、アドホック式無線ＬＡＮの無線接続を行う場合におけるチャンネル設定にも応用可能である。
【００４９】
以上、実施例に基づき本発明にかかる中継装置、通信機器を説明してきたが、上述した発明の実施の形態は、本発明の理解を容易にするためのものであり、本発明を限定するものではない。本発明は、その趣旨並びに特許請求の範囲を逸脱することなく、変更、改良され得る。
【図面の簡単な説明】
【００５０】
【図１】通信システム１０００を示す説明図である。
【図２】印刷装置１００および中継局２００が実現する機能ブロックを示す説明図である。
【図３】印刷装置１００および中継局２００が行う処理を示すフローチャートである。
【符号の説明】
【００５１】
１０００...通信システム
２００Ｌ...無線ネットワーク
２０３...パーソナルコンピュータ
１００...印刷装置
１０１...押しボタン
１０２...表示ランプ
２００...中継局
２０１...押しボタン
２０２...表示ランプ
１１１...設定情報
１２０...更新部
１２２...初期状態フラグ
１２３...ユーザ入力部
１３１...点灯制御部
１３２...印刷部
２１１...設定情報
２２１...設定退避部
２２０...設定指示部
２２２...アドレス登録部
２２３...ユーザ入力部
２３１...点灯制御部
【図１】
2005198154.tif 000003
【図２】
2005198154.tif 000004
【図３】
2005198154.tif 000005